(57)【要約】      （修正有）【課題】換気装置の動作を自動で行うことができ、建物に設置する複数個の換気装置を同時に開閉できる様にする。【解決手段】吸排気口２４よりポンプ２７によりエアーを送り（イ）、シリンジ２１を上昇移動し（ロ）外気の導入を遮断する。吸排気口２４よりポンプ２７によりエアーを吸引し（ハ）とシリンジ２１を下降移動し換気口6を介した床下部へ外気の導入（ホ）を行い、エアーの給排気により自動で換気装置を開閉する。  又、センサーを建物内部に設けることにより、環境の変化をリアルタイムに自動的に検知して開閉装置を自動開閉する。【選択図】図１
2007232315.tif 000002
【特許請求の範囲】
【請求項１】
建物の外壁の下端部分裏面に沿って固定され、床下部への通気を可能にした開閉機構付き装置であって、装置は一辺が開放されたシリンダーと、シリンダーの他辺の一部に設けられＯＮ−ＯＦＦの制御を行うスイッチを有するポンプ等の気体供給排除装置にてエアー等の気体の給排気を行わせるため気体配管を接続した吸排気口と、シリンダー内部で可動するシリンジとシリンジのシリンダー開放部の一部に設けた磁性体とこの磁性体に相対する位置に設けた永久磁石を設けた延設部材とからなることを特徴とする換気装置。
【請求項２】
温度＆湿度等を検知するセンサーを建物内部に配置して、このセンサーに所定の検知範囲を定め、発信する信号により自動でＯＮ−ＯＦＦを行うポンプ等の気体供給排除装置を配したことを特徴とする請求項１の換気装置。  
【発明の詳細な説明】
【技術分野】
【０００１】
本発明は、建物の内部と外部との換気を自動又は一部自動的に行うことが容易な換気装置に関するものである。
【背景技術】
【０００２】
基礎パッキン工法等において、建物内部の一部である床下部へ外気を導入させ、壁や床への結露やカビ等の発生を防止する為に種々の部品が開発されている。
【０００３】
しかしこれらの部品では通気開放状態で固定のままであれば夏場は結露やカビの等を防止する効果を発揮するが、冬場には室内の熱が放散し光熱費の損失が大きくなるという欠点があった。
【０００４】
この改善策として、換気の開閉または調整が行える部品も開発されているが、部品に直接手動で操作を行う必要があり、外気の流入や遮断を効果的に行う為に建物内の様々な場所に設置した複数個の部品をそのつど開閉しなければならず、一部の部品の開閉を忘れた場合などに外気の遮断や通気効率が損なわれ、換気及び放熱に対する効果が十分でなく、夏場における結露やカビ等の発生や冬場の室内の熱の放散による光熱費の損失が発生するなどの問題があった。
【０００５】
従来例として
【特許文献１】特開２００１−１３２１１５号公報に記載されている。  これは横方向に相当の長さにわたって連続して形成されている床下部への換気口に対して、外気を導入あるいは遮断できる開閉機構付き通気水切り部材及び該通気水切り部材を用いた通気水切り部材である。
【発明の開示】
【発明が解決しようとする課題】
【０００６】
本発明が解決しようとする問題点は、１．水切り構造内に開閉装置を設けるため通気が妨げられる。２．建物の換気には少なくとも通気の進入と排気の２ヶ所以上の換気口が必要になり、凹凸の多い建物の床下の換気を効率よく行うためには更に多くの換気口の設置が必要になり、各々の換気口に換気装置を設置しなければならないため複数の換気装置を開閉操作を行わねばならず、手動で行うと煩雑な作業となる。又、一部の換気装置が開閉を忘れられた場合に、複数の換気装置の一部が希望する開閉状態の反対の状態になって換気または通気遮断効率を損なうとことになる。３．手動による開閉であるため複数個の換気装置を一挙に自動開閉が難しい等を有していた。
【課題を解決するための手段】
【０００７】
本発明は、ポンプ等によりエアー等の気体の供給及び排除によって換気装置を開閉させるようにしたため、ポンプのＯＮ−ＯＦＦによって換気装置を自動で開閉できるようにした物である。この自動化により複数の換気装置装置を例えば1つのポンプに配管でつなぐ事によりポンプのＯＮ−ＯＦＦにより複数の換気装置を同時に開閉させることを特徴とする。
【０００８】
他の例としては温度＆湿度センサーを床下部に設け、センサーによる信号を検知してポンプのＯＮ−ＯＦＦの制御を行うことにより、自動で上記ポンプの始動停止を行い、複数の換気装置を開閉できる。（請求項２記載の発明）
【発明の効果】
【０００９】
本発明の換気装置はポンプ等の気体供給排除装置により気体の供給及び排除によって開閉動作をさせるため、自動で換気装置を開閉でき、建物に設置する複数個の換気装置を同時に開閉できるという利点がある。
【００１０】
又、温度＆湿度センサーによる信号を検知してポンプ等の気体供給排除装置を制御することにより自動で換気装置を開閉できる。（請求項２記載の発明）
【発明を実施するための最良の形態】
【００１１】
本発明の換気装置の複数を１つのポンプに繋ぎ、ポンプを給排気させることにより、換気装置を同時に開閉できるようにできる。
【実施例１】
【００１２】
図１（ａ）（ｂ）は、本発明の１実施例の換気装置の断面図であって、図２は本発明の１実施例の換気装置の立体図である。１はコンクリート等によって作られた基礎、２は基礎パッキング材３のを介して基礎に乗せられた建物の土台である。また、４は建物外壁で外壁４を流れ落ちる雨水の水切りを行う水切り板５が取り付けられている。基礎１と土台２との間には、建物の周方向に連続する換気口６が形成される。        
【００１３】
換気装置２０は、換気口６を覆うようにして、建物の内部の一部の床下部に基礎１と土台２に沿って建物の周方向に固定され、換気口6を介した床下部へ外気の導入、遮断をおこなう。
【００１４】
換気装置２０は、土台2に固定される開閉部材２０ａと基礎１に固定される延設部材20ｂで構成される。
開閉部材２０ａは延設部材２０ｂと当接し換気口６の開閉を行うシリンジ２１とシリンジ２１が収納され、一面が開放されたシリンダー２２とで構成される。シリンジ２１延設部材２０ｂと当接する面に磁性体２３が取り付けられている。また、シリンダー２２の底には空気等の気体が出入りする吸排気口２４が設けられている。
延設部材２０ｂは土台２に固設され、シリンジ２１と当接する延設板２５と、前記延設板２５に互いに間隔を置いて配設された永久磁石２６で構成される。
【００１５】
吸排気口２４よりポンプ等によりエアーを送る（イ）とシリンジ２１がシリンダー２２内を上昇移動し（ロ）延設板２５に配された永久磁石２６とシリンジ２１に設けられた磁性体２３が密着し、結果として換気口6を介した床下部へ外気の遮断を行う。
【００１６】
吸排気口２４よりポンプ２７等によりエアーを吸引する（ハ）とシリンジ２１がシリンダー２２内を下降移動し（ニ）延設板２５に配された永久磁石２６とシリンジ２１に設けられた磁性体２３がシリンジ２１の自重のため離れ、結果として換気口6を介した床下部へ外気の導入（ホ）を行う。
【００１７】
図３は、本発明の１実施例の換気装置の平面図であって、ポンプ２７と換気口６に取り付けられた換気装置２０とエアー等の気体を給排気するための気体配管２８とから構成されている。ポンプ２７から供給されたエアーは気体配管２８を通じて換気装置２０へ送られる。
【００１８】
図４は、本発明の１実施例の換気装置の平面図であって、２９は温度又は湿度又は両方を検知するセンサーで建物内部の一部である床下部に設置した開閉部材２０の近辺に設置される。センサーの検知信号は有線３０にてポンプ２７に伝えられ、ポンプ２７のＯＮ−ＯＦＦを制御する。無線で送受信を行うこともできる。（請求項２記載の発明）
【００１９】
このようにエアーの吸排気により換気装置が開閉し換気がスムーズに出来る。又、エアーの給排気を行うポンプ２７のON-OFFスイッチを室内の適切な位置に設置すれば１つのON-OFFスイッチを操作することにより、自動で複数の換気装置の開閉を効率良く行える効果がある。
【００２０】
更に温度＆湿度センサーを換気装置の周辺に配置して、所定の温度＆湿度範囲を設定し、温度＆湿度センサーの信号をポンプに有線又は無線にてポンプに送り、ＯＮ−ＯＦＦ制御を行い換気装置を作動させることにより完全自動の換気装置制御ができる。（請求項２記載の発明）
【産業上の利用可能性】
【００２１】
建物の外壁の下端部分裏面に沿って固定され、床下部への通気を可能にした開閉機構付き装置であって、装置は一辺が開放されたシリンダーと、シリンダーの他辺の一部に設けられＯＮ−ＯＦＦの制御を行うスイッチを有するポンプ等の気体供給排除装置にてエアー等の気体の給排気を行わせるため気体配管を接続した吸排気口と、シリンダー内部で可動するシリンジとシリンジのシリンダー開放部の一部に設けた磁性体とこの磁性体に相対する位置に設けた永久磁石を設けた延設部材とからなることを特徴とする換気装置であるので、複数個の換気装置の吸排口を一つのポンプに繋ぎ、同時に換気装置の開閉を行うものである。
【００２２】
又、複数個の換気装置の吸排口に各々ポンプに繋ぎ、ポンプのＯＮ−ＯＦＦを任意に行えるよう室内の一箇所に集めて、換気装置の開閉を行う方法もある。
【図面の簡単な説明】
【００２３】
【図１】換気装置の断面図と建物床下の平面図
【図２】換気装置の立体図
【図３】建物床下の断面図
【図４】建物床下の断面図（請求項２記載の発明）
【符号の説明】
【００２４】
１    基礎
２    土台
３    パッキン
４    外壁
５    水切り板
６    換気口
２０  換気装置
２１  シリンジ
２２  シリンダー
２３  磁性体
２４  吸排気口
２５  延設板
２６  永久磁石
２７  ポンプ
２８  気体配管
２９  センサー
３０  有線
【図１】
2007232315.tif 000003
【図２】
2007232315.tif 000004
【図３】
2007232315.tif 000005
【図４】
2007232315.tif 000006